(57)【要約】【課題】保守作業中に誤報をすることがなく、かつ、保守作業後に確実に通報をすることができるという優れた効果を有する警戒装置を提供すること。【解決手段】異常検出について所定の通報先に通報をする通報部１９と、異常検出時に通報部１９に通報を指示する制御部２１と、閉状態及び開状態の何れかである操作パネル１６と、操作パネル１６の開状態及び閉状態を検出する開閉検出部１７と、本装置の外部から電力を供給する主電源が入った状態及び切れた状態を検出する停電検出部１４と、主電源が切れた状態であるとき電源として用いられる補助電源１５と、操作パネル１６が閉状態で主電源が切れた状態になったときは補助電源１５から電力供給するようにし、操作パネル１６が開状態で主電源が切れた状態になったときは補助電源１５からの電力供給を切断する切換部１８とを備えるよう構成した。【選択図】　図１
2004046389.tif 000002
【特許請求の範囲】
【請求項１】
異常検出について所定の通報先に通報をする通報部と、異常検出時に前記通報部に通報を指示する制御部と、閉状態及び開状態の何れかである操作パネルと、前記操作パネルの開状態及び閉状態を検出する開閉検出部と、本装置の外部から電力を供給する主電源が入った状態及び切れた状態を検出する停電検出部と、前記主電源が切れた状態であるとき電源として用いられる補助電源と、前記操作パネルが閉状態で前記主電源が切れた状態になったときは前記補助電源から電力供給するようにし、前記操作パネルが開状態で前記主電源が切れた状態になったときは前記補助電源からの電力供給を切断する切換部とを備えたことを特徴とする警戒装置。
【請求項２】
前記制御部は、前記閉状態で前記主電源が切れた状態になった場合には前記通報部に停電検出について通報させ、前記開状態で前記主電源が切れた状態になった場合には停電検出についての通報を抑止するようにしたことを特徴とする請求項１に記載の警戒装置。
【請求項３】
異常検出について印字するプリンタを備え、前記制御部は、前記閉状態で前記主電源が切れた状態になった場合には前記プリンタに異常検出について印字させ、前記開状態で前記主電源が切れた状態になった場合には異常検出についての印字を抑止するようにしたことを特徴とする請求項１又は請求項２に記載の警戒装置。
【請求項４】
前記制御部は、前記開状態で前記主電源が切れた状態になった場合には前記プリンタに保守である旨を印字させるようにしたことを特徴とする請求項３に記載の警戒装置。
【請求項５】
前記開閉検出部は、前記操作パネルの開閉を検出する代わりに、本装置の各部を収納した筺体の開閉を検出するようにしたことを特徴とする請求項１乃至請求項４の何れかに記載の警戒装置。
【請求項６】
前記通報部の代わりに、異常検出時に警報を発する警報部を備え、前記開状態で前記主電源が切れた状態になった場合は前記警報部による発報を抑止するようにしたことを特徴とする請求項１乃至請求項５の何れかに記載の警戒装置。
【請求項７】
前記切換部は、前記操作パネルが開状態で前記主電源が切れた状態になったときは前記補助電源側の電力供給に切り換えないで前記主電源側のまま維持するようにしたことを特徴とする請求項１乃至請求項６の何れかに記載の警戒装置。
【発明の詳細な説明】
【０００１】
【発明の属する技術分野】
本発明は、停電時であっても補助電源を用いて異常検出等の警戒動作をする警戒装置に関する。
【０００２】
【従来の技術】
従来の警戒装置は、停電時であっても異常検出等の警戒をするために充電電池等の補助電源を用いているが、保守作業を行う場合、故障の防止や誤報の防止等のために、保守作業員が、主電源のスイッチをオフにするとともに補助電源のスイッチもオフにし、保守作業完了後に主電源のスイッチをオンにするとともに補助電源のスイッチもオンにするようになっていた。
【０００３】
【発明が解決しようとする課題】
しかしながら、このような従来の警戒装置においては、保守作業を始める際、主電源のスイッチと補助電源のスイッチとを両方ともオフにする必要があり、操作が煩雑であるのみならず、保守作業員が補助電源のスイッチをオフにすることを忘れてしまった場合には、保守作業中の端子の短絡や誤操作によって通報してしまう（すなわち誤報する）という問題があり、また、保守作業完了後に補助電源のスイッチをオンにすることを忘れてしまった場合には、通常は正常に動作していても、いざ停電となった時に動作が停止してしまい通報をすることができないという問題があった。
【０００４】
本発明はこのような問題を解決するためになされたもので、保守作業中に誤動作をすることがなく、かつ、保守作業後に確実に動作をすることができる警戒装置を提供するものである。
【０００５】
【課題を解決するための手段】
本発明の警戒装置は、異常検出について所定の通報先に通報をする通報部と、異常検出時に前記通報部に通報を指示する制御部と、閉状態及び開状態の何れかである操作パネルと、前記操作パネルの開状態及び閉状態を検出する開閉検出部と、本装置の外部から電力を供給する主電源が入った状態及び切れた状態を検出する停電検出部と、前記主電源が切れた状態であるとき電源として用いられる補助電源と、前記操作パネルが閉状態で前記主電源が切れた状態になったときは前記補助電源から電力供給するようにし、前記操作パネルが開状態で前記主電源が切れた状態になったときは前記補助電源からの電力供給を切断する切換部とを備えた構成を有している。
【０００６】
この構成により、保守作業のために主電源を切断した場合には通報が行われないこととなり、保守作業中に誤報等の誤動作をすることがなく、かつ、保守作業後に確実に通報をすることができる。また、保守作業開始時には操作パネルを開けるという既存の簡単な操作を利用しているので、余分な操作をさせることなく、補助電源からの電源供給をしないようにすることができる。
【０００７】
本発明の警戒装置は、前記制御部が、前記閉状態で前記主電源が切れた状態になった場合には前記通報部に停電検出について通報させ、前記開状態で前記主電源が切れた状態になった場合には停電検出についての通報を抑止するようにした構成を有している。
【０００８】
この構成により、通常時は停電検出について通報し、保守作業のために主電源を切断した場合には停電検出について通報しないこととなり、通報先に余分な情報が通報されないようにすることができる。
【０００９】
本発明の警戒装置は、異常検出について印字するプリンタを備え、前記制御部が、前記閉状態で前記主電源が切れた状態になった場合には前記プリンタに異常検出について印字させ、前記開状態で前記主電源が切れた状態になった場合には異常検出についての印字を抑止するようにした構成を有している。
【００１０】
この構成により、通常時は異常検出について印字し、保守作業のために電源を切断した場合には異常検出について印字しないこととなり、余分な用紙を消費しないようにすることができる。
【００１１】
本発明の警戒装置は、前記制御部が、前記開状態で前記主電源が切れた状態になった場合には前記プリンタに保守である旨を印字させるようにした構成を有している。
【００１２】
この構成により、保守作業のために主電源を切断した場合には保守である旨が印字されることとなり、保守記録を残すことができる。
【００１３】
本発明の警戒装置は、前記開閉検出部は、前記操作パネルの開閉を検出する代わりに、本装置の各部を収納した筺体の開閉を検出するように構成してもよい。
【００１４】
この構成により、保守作業の際に操作パネルの開閉を伴わない警戒装置の場合にも、主電源を切断し筺体を開けて保守作業をする際、保守作業中に誤動作をすることがなく、かつ、保守作業後に確実に動作をすることができることとなる。
【００１５】
本発明の警戒装置は、異常検出時に警報を発する警報部を備え、前記開状態で前記主電源が切れた状態になった場合は前記警報部による発報を抑止するように構成してもよい。
【００１６】
この構成により、警報装置の場合にも、主電源を切断して保守作業をする際、保守作業中に誤動作をすることがなく、かつ、保守作業後に確実に動作をすることができることとなる。
【００１７】
本発明の警戒装置は、前記切換部は、前記操作パネルが開状態で前記主電源が切れた状態になったときは前記補助電源側の電力供給に切り換えないで前記主電源側のまま維持するように構成してもよい。
【００１８】
【発明の実施の形態】
以下、本発明の実施の形態について、図面を用いて説明する。
【００１９】
（第１の実施の形態）
図１は、本発明の第１の実施の形態の警戒装置１０を示すブロック図である。図１において、警戒装置１０は、異常検出時に所定の通報先６に通報を行うようになっている。
【００２０】
信号入力部１１は、人体を検出するセンサ１から人体検出信号を取得するとともに、非常事態発生時に押される通報ボタン２から非常事態発生信号を取得するものである。
【００２１】
主電源スイッチ１２は、警戒装置１０の外部から電力を供給する交流１００Ｖ電源（以下、「主電源」という）について、いわゆる「入った」状態すなわち電力供給が可能な状態と、いわゆる「切れた」状態すなわち電力供給が停止された状態とを、手動で切り換えるためのものである。電源回路１３は、主電源について交流電圧を直流電圧に変換するとともに出力電圧を安定化するものである。停電検出部１４は、電源回路１３の出力電圧に基づいて、主電源が入った状態及び切れた状態を検出し、信号入力部１１に給電検出信号又は停電検出信号を出力するものである。補助電源１５は、充電電池からなり、主電源が切れた状態であるときに電源として用いられるものである。
【００２２】
操作パネル１６は、保守操作をするためのものであり、通常の運用時には筺体内に閉じられた状態（以下、「閉状態」という）にされており、保守の際には開けられた状態（以下、「開状態」という）にされるものである。開閉検出部１７は、操作パネル１６の開状態及び閉状態を検出するものである。
【００２３】
操作パネル１６の例を図２に示す。図２の（ａ）において、操作パネル１６は閉状態であって、筺体２０１内に収納されている。保守作業の際、作業員は、まず、鍵穴２０３に鍵を差し込んで回転することにより鍵のロック状態を解除し、次に、扉２０２を開くことにより、操作パネル１６は図２の（ｂ）に示すように開状態となる。具体的には、開閉検出部１７は、扉２０２の開閉を検出することにより操作パネル１６の開閉状態を検出する。なお、操作パネル１６内に電源スイッチ１２が配置されていてもよい。操作パネル１６の開状態において、作業員が電源スイッチ１２を操作し、主電源は切れた状態になる。
【００２４】
切換部１８は、警戒装置１０の各部に対して、主電源から電力供給をするか、補助電源１５から電力供給をするか、又は、主電源からの電力供給及び補助電源１５からの電力供給を共に切断するかを切り換えるものである。具体的には、切換部１８は、主電源が入った状態になったときは主電源から各部に電力供給するように切り換え、操作パネル１６が閉状態で主電源が切れた状態になったときは補助電源１５から各部に電力供給するように切り換え、操作パネル１６が開状態で主電源が切れた状態になったときは補助電源１５から各部への電力供給を切断するように切り換える。切換部１８は、通報部１９、プリンタインタフェース部２０、制御部２１その他の各部に電源回路１３又は補助電源１５からの電力を供給する。
【００２５】
通報部１９は、電話回線５を介して、所定の通報先６に異常検出について通報するためのものである。具体的には、通報部１９は、制御部２１の指示に従い、電話回線５を捕捉して予め決められた通報先６を発呼し、制御部２１が生成した通報データを通報先６に送信する。
【００２６】
プリンタインタフェース部２０は、異常検出に関する印字、保守である旨の印字、その他の印字をするプリンタ７が接続されるものである。
【００２７】
制御部２１は、信号入力部１１を介して人体検出信号、非常事態発生信号、給電検出信号及び停電検出信号を取得するとともに、開閉検出部１７から操作パネル１６の開状態又は閉状態を示す開閉検出信号を取得し、これらの取得した信号に基づいて、通報部１９への通報指示、切換部１８への電源切換指示、プリンタインタフェース部２０を介したプリンタ７への印字指示、その他の異常検出に対応する処理を行うものである。具体的には、制御部２１は、主電源が入った状態であるとき、又は主電源が切れた状態であっても操作パネル１６が閉状態であって補助電源１５から各部に給電がされているとき、信号入力部１１によって人体検出信号又は非常事態発生信号を取得すると通報データを生成して通報部１９に通報を指示する。また、制御部２１は、操作パネル１６が開状態で主電源が切れた状態になったときには、切換部１８によって補助電源１５から各部への給電を切断し、通報部１９による通報を抑止するようになっている。
【００２８】
また、制御部２１は、操作パネル１６が閉状態で主電源が切れた状態になったとき（いわゆる「停電」したとき）、通報部１９に停電検出について通報を指示するようになっている。また、制御部２１は、操作パネル１６が閉状態において主電源が切れた状態になった場合には、プリンタ７が動作状態であるとき（停電が発生したとき又は停電が解消して主電源が入った状態になったとき）にプリンタ７に異常検出について印字させる一方、操作パネル１６が開状態において主電源が切れた状態になった場合には、プリンタ７による異常検出についての印字を抑止するようになっている。また、制御部２１は、操作パネル１６が開状態で主電源が切れた状態になった場合には、プリンタ７が動作状態であるとき（停電が発生したとき又は停電が解消して主電源が入った状態になったとき）にプリンタ７に保守である旨を印字させるようになっている。
【００２９】
次に本実施の形態の警戒装置１０の動作について説明する。
【００３０】
主電源が入った状態である通常時、通報部１９、プリンタインタフェース部２０、制御部２１等の警戒装置１０内の各部に対し、主電源から電源回路１３及び切換部１８を介して給電がなされる。センサ１によって人体が検出されたときは、人体検出信号が信号入力部１１を介して制御部２１に伝達され、制御部２１によって人体検出についての通報データが生成され、通報部１９によって通報先６に通報がなされるとともに、プリンタ７によって印字がなされる。また、通報ボタン２が押されたときは、非常事態発生信号が信号入力部１１を介して制御部２１に伝達され、制御部２１によって非常事態発生についての通報データが生成され、通報部１９によって通報先６に通報がなされるとともに、プリンタ７によって印字がなされる。
【００３１】
停電発生時には、停電検出部１４によって、主電源が切れた状態が検出され、停電検出信号が信号入力部１１を介して制御部２１に伝達される。停電後も電源回路１３により規定時間内は制御部２１が動作可能であって、制御部２１からの指示に従い、即座に、切換部１８によって給電元が主電源から補助電源１５に切り換えられる。したがって、停電中は、センサ１によって人体検出されたとき、又は、通報ボタン２が押されたとき、補助電源１５からの給電により、通常時と同様に、通報部１９によって通報先６に通報がなされる。さらに、プリンタ７が動作状態であるとき（停電が発生したとき又は停電が解消して主電源が入った状態になったとき）に、プリンタ７によって異常内容が印字される。
【００３２】
保守作業の際には、保守作業員によって操作パネル１６が開けられたとき、開閉検出部１７によって操作パネル１６の開状態が検出され、さらに、主電源スイッチ１２によって主電源が切断されたとき、切換部１８によって補助電源から各部への電力供給を切断する。さらに、プリンタ７が動作状態であるとき（停電が発生したとき又は主電源の電力供給が再開したとき）に、プリンタ７によって保守である旨が印字される。
【００３３】
なお、開閉検出部１７は、図２の扉２０２の開閉を検出することにより操作パネル１６の開閉状態を検出する例について説明したが、本発明はこれに限るものではなく、鍵２０３のロック状態及びロック解除状態を検出することにより操作パネル１６の開閉状態を検出するものであってもよい。また、開閉検出部１７は、操作パネル１６を構成する複数の操作スイッチ２１２の何れかが押されたことを検出することにより操作パネル１６の開閉状態を検出するものであってもよい。
【００３４】
（第２の実施の形態）
図３は、本発明の第２の実施の形態の警戒装置３１０を示すブロック図である。図３において、警戒装置３１０は、異常検出時に所定の通報先６に通報を行う通報装置として適用された例である。なお、図３において、図１に示した第１の実施の形態の警戒装置１０と同じ構成要件には、同じ符号を付してあり、第１の実施の形態において説明したので説明を省略する。
【００３５】
図３において、本実施の形態の警戒装置３１０の開閉検出部３１７は、警戒装置３１０の各部を収納した筺体の開閉を検出するようになっている。保守作業の際、保守作業員によって筐体が開けられたとき、開閉検出部３１７が筐体の開状態を検出し、さらに、保守作業員によって主電源スイッチ１２が操作され主電源が切断されたとき、切換部１８が補助電源から各部への電力供給を切断することとなる。
【００３６】
（第３の実施の形態）
図４は、本発明の第３の実施の形態の警戒装置４１０を示すブロック図である。図４において、警戒装置４１０は、異常検出時に警報を発する警報装置として適用された例である。なお、図４において、図１に示した第１の実施の形態の警戒装置１０と同じ構成要件には、同じ符号を付してあり、第１の実施の形態において説明したので説明を省略する。
【００３７】
図４において、本実施の形態の警戒装置４１０は、異常検出時に警報音を発するとともに警報灯を点灯する警報部４１９を備える。
【００３８】
次に本実施の形態の警戒装置４１０の動作について説明する。
【００３９】
主電源が入った状態である通常時、警報部４１９、プリンタインタフェース部２０、制御部２１等の警戒装置４１０内の各部に対し、主電源から電源回路１３及び切換部１８を介して給電がなされる。センサ１によって人体が検出されたときは、人体検出信号が信号入力部１１を介して制御部２１に伝達され、警報部４１９によって警報が発せられるとともに、プリンタ７によって印字がなされる。また、警報ボタン４０２が押されたときは、非常事態発生信号が信号入力部１１を介して制御部２１に伝達され、警報部４１９によって警報が発せられるとともに、プリンタ７によって印字がなされる。
【００４０】
停電発生時には、停電検出部１４によって、主電源が切れた状態が検出され、停電検出信号が信号入力部１１を介して制御部２１に伝達される。停電後も電源回路１３により規定時間内は制御部２１が動作可能であって、制御部２１からの指示に従い、即座に、切換部１８によって給電元が主電源から補助電源１５に切り換えられる。したがって、停電中は、センサ１によって人体検出されたとき、又は、警報ボタン４０２が押されたとき、補助電源１５からの給電により、通常時と同様に、警報部４１９によって警報が発せられる。さらに、プリンタ７が動作状態であるとき（停電が発生したとき又は停電が解消して主電源が入った状態になったとき）に、プリンタ７によって異常内容が印字される。
【００４１】
保守作業の際には、保守作業員によって操作パネル１６が開けられたとき、開閉検出部１７によって操作パネル１６の開状態が検出され、さらに、主電源スイッチ１２によって主電源が切断されたとき、切換部１８によって補助電源１５から各部への電力供給を切断する。さらに、プリンタ７が動作状態であるとき（停電が発生したとき又は主電源の電力供給が再開したとき）に、プリンタ７によって保守である旨が印字される。
【００４２】
（第４の実施の形態）
図５は、本発明の第４の実施の形態の警戒装置５１０を示すブロック図である。図５において、警戒装置５１０は、異常検出時に警報を発する警報装置として適用された例である。なお、図５において、図４に示した第３の実施の警戒装置４１０同じ構成要件には、同じ符号を付してあり、第３の実施の形態において説明したので説明を省略する。
【００４３】
図５において、本実施の形態の警戒装置５１０の開閉検出部３１７は、警戒装置５１０の各部を収納した筺体の開閉を検出するようになっている。
【００４４】
（第５の実施の形態）
図６は、本発明の第５の実施の形態の警戒装置６１０を示すブロック図である。図６において、警戒装置６１０は、異常検出時に所定の通報先６に通報を行う通報装置として適用された例である。なお、図６において、図１に示した第１の実施の警戒装置１０同じ構成要件には、同じ符号を付してあり、第１の実施の形態において説明したので説明を省略する。
【００４５】
図６において、本実施の形態の警戒装置６１０の切換部６１８は、操作パネル１６が開状態で主電源が切れた状態になったときは補助電源側の電力供給に切り換えないで主電源側のまま維持するようになっている。保守作業の際には保守作業員によって操作パネル１６が開けられたとき、開閉検出部１７によって操作パネル１６の開状態が検出され、さらに主電源スイッチ１２によって主電源が切断されたとき、切換部６１８によって補助電源側には切り換わらず、そのまま各部への電源供給が停止されることとなる。
【００４６】
【発明の効果】
本発明によれば、保守作業中に誤動作をすることがなく、かつ、保守作業後に確実に動作をすることができるという優れた効果を有する警戒装置を提供することができる。
【図面の簡単な説明】
【図１】本発明の第１の実施の形態の警戒装置を示すブロック図
【図２】本発明の第１の実施の形態の警戒装置における操作パネルの例を示す説明図
【図３】本発明の第２の実施の形態の警戒装置を示すブロック図
【図４】本発明の第３の実施の形態の警戒装置を示すブロック図
【図５】本発明の第４の実施の形態の警戒装置を示すブロック図
【図６】本発明の第５の実施の形態の警戒装置を示すブロック図
【符号の説明】
１　　センサ
２　　通報ボタン
５　　電話回線
６　　通報先
７　　プリンタ
１０、３１０、４１０、５１０、６１０　警戒装置
１１　信号入力部
１２　主電源スイッチ
１３　電源回路
１４　停電検出部
１５　補助電源
１６　操作パネル
１７、３１７　開閉検出部
１８、６１８　切換部
１９　通報部
２０　プリンタインタフェース部
２１　制御部
４２０　警報ボタン
４１９　警報部
【図１】
2004046389.tif 000003
【図２】
2004046389.tif 000004
【図３】
2004046389.tif 000005
【図４】
2004046389.tif 000006
【図５】
2004046389.tif 000007
【図６】
2004046389.tif 000008